(57)【特許請求の範囲】
【請求項１】
ＣＤからこれに記録されているデジタル音声信号を再生するＣＤ再生装置と、
放送を受信して音声信号を出力するチューナと、
上記デジタル音声信号と、上記音声信号とを、選択的にＭＤに記録して再生するＭＤ録音再生装置と、
２入力のゲート回路と、
上記ＣＤ再生装置の動作を制御する制御回路と
を有し、
上記デジタル音声信号を上記ＭＤ録音再生装置により記録をするときと、記録をしないときでレベルが変化するデジタル制御信号を、上記制御回路から取り出し、
上記デジタル音声信号と、上記デジタル制御信号とを上記ゲート回路に供給し、
このゲート回路の出力端を上記ＭＤ録音再生装置のデジタル入力端に接続し、
上記デジタル音声信号を上記ＭＤ録音再生装置により記録をするときには、上記デジタル音声信号を、上記ゲート回路を通過させて上記ＭＤ録音再生装置の上記デジタル入力端に、その記録入力として供給するように、かつ、
上記デジタル音声信号を上記ＭＤ録音再生装置により記録をしないときには、上記デジタル音声信号が上記ゲート回路から出力されることを阻止するように、上記ゲート回路の動作を上記デジタル制御信号により制御する
ようにした複合記録再生装置。
【請求項２】
請求項１に記載の複合記録再生装置において、
上記ゲート回路がＮＡＮＤゲート回路およびＡＮＤゲート回路のいずれか一方である
ようにした複合記録再生装置。
【発明の詳細な説明】
【０００１】
【発明の属する技術分野】
本発明は複合記録再生装置に関し、さらに詳しくは、再生装置の第１の情報がチューナの第２の情報に混入するのを阻止するように構成した複合記録再生装置に関する。
【０００２】
【従来の技術】
以下では、複合記録再生装置の一例として、ＣＤ(Compact Disc)再生装置及びＭＤ(Mini Disc )録音再生装置及びチューナを具備し、ＣＤ再生装置からの第１の情報、すなわち、デジタル音声出力信号が、チューナで受信された第２の情報、すなわち、音声信号に混入し、ＭＤ録音再生装置に記録されるのを阻止し得るシステムステレオ装置について説明するが、本発明の複合記録再生装置はこの例に限定されるものではない。
【０００３】
図２は一般的なシステムステレオ装置１４の概略構成を示したものである。システムステレオ装置１４はＣＤ再生装置１、ＭＤ録音再生装置２及びチューナ３により構成されており、ＣＤ再生装置１はＣＤマイコン６を制御装置として、ＭＤ録音再生装置２はＭＤマイコン５を制御装置として制御される。
【０００４】
システムマイコン４は、システムステレオ装置１４の操作部からの信号を認識して、システム全体の制御を行うもので、チューナ３や、双方向共通バスライン８を介して、ＣＤマイコン６やＭＤマイコン５を制御し、且つ、ＣＤ再生装置１、ＭＤ録音再生装置２、チューナ３により再生された音声信号を音声信号切換手段１０により切り換えて、プリアンプ、イコライザー、ボリュームを含む信号処理ブロック１１を制御し、増幅、周波数等化、及び音量調整を行う。信号処理ブロック１１からの音声信号はパワーアンプ１２により増幅されてスピーカ１３より出力される。また、入力ブロック９のその他とは、例えば、テープデッキ等からの音声信号である。
【０００５】
ＣＤ再生装置１からのデジタル音声出力信号をＭＤ録音再生装置２によりミニディスク１５に記録する場合（以下これをＣＤモードという）は、システムステレオ装置１４の操作部（図は省略、以下同様）からの指示がシステムマイコン４で認識され、ＭＤマイコン５により、ＣＤ再生装置１のデジタル音声出力信号のみがＭＤ録音再生装置２の入力に接続され、ＭＤ録音再生装置２の内部でＭＤフォーマットに変換されて、ミニディスク１５に記録される。
【０００６】
チューナ３からの音声信号がＭＤ録音再生装置２に記録される場合は（以下これをチューナモードという）、システムステレオ装置１４の操作部からの指示がシステムマイコン４で認識され、チューナ３の音声信号がＭＤ録音再生装置２に接続され、ＭＤ録音再生装置２の内部でＭＤフォーマットに変換されて、ミニディスク１５に記録される。
【０００７】
【発明が解決しようとする課題】
上述のようにシステムステレオ装置ではＣＤ再生装置からのデジタル音声出力信号が線材１６を介してＭＤ録音再生装置に入力されるので、線材１６からのデジタル音声出力信号が輻射により、アンテナに受信され、チューナにより増幅されてしまうという問題がある。
【０００８】
このため、従来のシステムステレオ装置においては、チューナモードでは、ＣＤ再生装置の電源を切り、上述のＣＤ再生装置からのデジタル音声出力信号の輻射によるチューナへの混入を阻止していた。
【０００９】
システムステレオ装置は、チューナモードのとき、チューナの音声信号がＭＤ録音再生装置へ入力されるので、ＣＤ再生装置からのデジタル音声出力信号は停止していてよく、ＣＤ再生装置の電源は切れていても録音に差し支えはない。
【００１０】
ところが、ＣＤ再生装置の電源を切ることにより、以下の問題が生ずる。
１）チューナモードから、ＣＤモードに変わったとき、ＣＤ再生装置の電源が投入され、ＣＤ再生装置が起動し、ＣＤのファイルシステムであるＴＯＣ（Table Of Contents)がＣＤマイコンにより、読み込まれ、曲目を再生するまでに至る時間が長くなる。
２）チューナモードに切り換え、ＣＤ再生装置の電源を切るためのスイッチを特別に設ける必要がある。
３）チューナモードのとき、ＣＤ再生装置に、今まで入れてあったディスクを別のディスクに取り換えてしまうと、ＣＤ再生装置は電源が切れているので、ＣＤ再生装置はディスクが取り換えられたことを認識できない。
【００１１】
本発明はこのような点に鑑みてなされたものであり、チューナモード時に再生装置の電源をきることなく、再生装置からの第１の情報の出力信号が輻射により、チューナで受信された第２の情報に混入することのない、複合記録再生装置を提供することを課題とする。
【００１２】
【課題を解決するための手段】
この発明においては、
ＣＤからこれに記録されているデジタル音声信号を再生するＣＤ再生装置と、
放送を受信して音声信号を出力するチューナと、
上記デジタル音声信号と、上記音声信号とを、選択的にＭＤに記録して再生するＭＤ録音再生装置と、
２入力のゲート回路と、
上記ＣＤ再生装置の動作を制御する制御回路と
を有し、
上記デジタル音声信号を上記ＭＤ録音再生装置により記録をするときと、記録をしないときでレベルが変化するデジタル制御信号を、上記制御回路から取り出し、
上記デジタル音声信号と、上記デジタル制御信号とを上記ゲート回路に供給し、
このゲート回路の出力端を上記ＭＤ録音再生装置のデジタル入力端に接続し、
上記デジタル音声信号を上記ＭＤ録音再生装置により記録をするときには、上記デジタル音声信号を、上記ゲート回路を通過させて上記ＭＤ録音再生装置の上記デジタル入力端に、その記録入力として供給するように、かつ、
上記デジタル音声信号を上記ＭＤ録音再生装置により記録をしないときには、上記デジタル音声信号が上記ゲート回路から出力されることを阻止するように、上記ゲート回路の動作を上記デジタル制御信号により制御する
ようにした複合記録再生装置
とするものである。
【００１３】
また、本発明の複合記録再生装置の望ましい形態は、ゲート回路を２入力ＮＡＮＤゲート回路及び２入力ＡＮＤゲート回路のいずれか一方で構成するものである。
【００１４】
前述の手段による作用について以下に記する。
チューナの受信動作中は、再生装置の第１の情報の出力信号が、第１の情報の出力端子において、制御装置からのデジタル制御信号によりゲート回路を通過するのを阻止されるため、再生装置と記録再生装置を接続する線材には第１の情報の出力信号による電流が流れない。このため、線材を介しての第１の情報の出力信号による輻射はアンテナにより受信されないので、チューナの出力には第１の情報は混入しない。
【００１５】
【発明の実施の形態】
以下に、本発明の複合記録再生装置の例としてシステムステレオ装置１７を図１を参照して説明する。また、従来の技術と同一の構造をなすものは同一の符号を付するものとする。
【００１６】
図１において、システムステレオ装置１７はＣＤ再生装置１、ＭＤ録音再生装置２及びチューナ３により構成されており、ＣＤ再生装置１はＣＤマイコン６を制御装置として、ＭＤ録音再生装置２はＭＤマイコン５を制御装置として、これらにより制御される。
【００１７】
システムマイコン４は、システムステレオ装置１７の操作部（図は省略、以下同様）からの信号を認識して、システム全体の制御を行うもので、チューナ３や、双方向共通バスライン８を介して、ＣＤマイコン６やＭＤマイコン５を制御し、且つ、ＣＤ再生装置１、ＭＤ録音再生装置２、チューナ３により再生された音声信号を音声信号切換手段１０により切り換えて、プリアンプ、イコライザー、ボリュームを含む信号処理ブロック１１を制御し、増幅、周波数等化、及び音量調整を行う。信号処理ブロック１１からの音声信号はパワーアンプ１２により増幅されてスピーカ１３より出力される。また、入力ブロック９のその他とは、例えば、テープデッキ等からの音声信号である。
【００１８】
ＣＤモードでは、システムステレオ装置１７の操作部からの指示がシステムマイコン４で認識され、ＭＤマイコン５により、ＣＤ再生装置１のデジタル音声出力信号のみがＭＤ録音再生装置２の入力に接続され、ＭＤ録音再生装置２の内部でＭＤフォーマットに変換されて、ミニディスク１５に記録される。
【００１９】
チューナモードでは、システムステレオ装置１７の操作部からの指示がシステムマイコン４で認識され、ＭＤマイコン５により、チューナ３の音声信号出力のみがＭＤ録音再生装置２に接続され、ＭＤ録音再生装置２の内部でＭＤフォーマットに変換されて、ミニディスク１５に記録される。
【００２０】
図１において、ＣＤ再生装置１からのデジタル音声出力信号は、ゲート回路２０の一方の端子に接続され、ＣＤマイコン６からのデジタル制御信号が、ゲート回路２０の他方の端子に接続される。
【００２１】
チューナモードのとき、システムステレオ装置１７の操作部からの指示をシステムマイコン４が認識して、システムマイコン４の制御によりＣＤマイコン６からのデジタル制御信号は、ＣＤ再生装置１からのデジタル音声出力信号がゲート回路２０を通過するのを阻止する。
【００２２】
従ってデジタル音声出力信号は、ゲート回路２０の出力端子には現れないので、ゲート回路２０の出力とＭＤ録音再生装置２の間を結ぶ線材１８から、デジタル音声出力信号の輻射は非常に少なく、アンテナ７により受信されてチューナの音声信号に混入することはない。
【００２３】
また、ＣＤ再生装置１の電源は切られていないので、チューナモード中に、古いディスクをＣＤ再生装置１から取り出し、新しいディスクを挿入しても、新しいディスクをＣＤ再生装置１が認識できる。
【００２４】
システムステレオ装置１７の操作部により、モードをチューナモードからＣＤモードに切り換えると、システムマイコン４が操作部の信号を認識し、ＭＤマイコン５とＣＤマイコン６にモードが切り換えられたことを通知する。このとき、ＣＤマイコン６からのデジタル制御信号は、ゲート回路２０をＣＤ再生装置１からのデジタル音声出力信号が通過するように制御する。また、ＭＤマイコン５はＣＤ再生装置１からの入力を受け付け、チューナ３からの音声信号を阻止する。
【００２５】
モードがチューナモードからＣＤモードに切り換えられた直後においても、前述したＴＯＣを読みこんで曲目のアドレスを認識するという、起動のための手続きを踏む必要がなく、すぐに、曲目をアクセスすることができる。
【００２６】
本発明の複合記録再生装置の望ましい形態は、上述のゲート回路として、２入力ＮＡＮＤゲート及び２入力ＡＮＤゲートのうち、いずれか一方を用いることである。ＮＡＮＤゲートを用いた場合は、デジタル制御信号が Lowの場合、デジタル音声出力信号が Low、Highいずれでも、ＮＡＮＤゲート出力はHighであり、デジタル音声出力信号の通過が阻止されることになる。ＡＮＤゲートを用いた場合はデジタル制御信号が Lowの場合は、デジタル音声出力信号が Low、Highいずれでも、ＡＮＤゲート出力は Lowとなり、デジタル音声出力信号の通過を阻止する。
【００２７】
【発明の効果】
ＣＤ再生装置の電源をチューナモード時でも動作させ、チューナモードからＣＤモードに変わったときのＣＤ再生装置の再起動を不要とし、チューナモード中もディスクの入れ換えが可能で、且つチューナモード中にＣＤ再生装置のデジタル音声出力信号がチューナ出力に混入することのない、複合記録再生装置が提供できる。なお、本発明の複合記録再生装置は上述したシステムステレオ装置に限るものではなく、特にチューナ、再生装置及び記録再生装置を具備した音響電子機器及び映像電子機器に適用する事ができる。
【図面の簡単な説明】
【図１】本発明に係わるシステムステレオ装置の概略構成図である。
【図２】従来のシステムステレオ装置の概略構成図である。
【符号の説明】
１…ＣＤ再生装置、２…ＭＤ録音再生装置、３…チューナ、４…システムマイコン、５…ＭＤマイコン、６…ＣＤマイコン、７…アンテナ、８…双方向共通バスライン、９…入力ブロック、１０…音声信号切換手段、１１…信号処理ブロック、１２…パワーアンプ、１３…スピーカ、１４，１７…システムステレオ装置、１５…ミニディスク、１６，１８…線材、２０…ゲート回路
【図１】
0004344892.tif 000002
【図２】
0004344892.tif 000003